(57)【要約】  冷凍サイクル装置用室外ユニットにおいて、室外熱交換器は、プロペラファンに対する気流の上流側で軸線の周囲に配置されている。また、室外熱交換器は、第１の平面部と、第２の平面部と、第１及び第２の平面部を繋ぐ曲げ部とを有している。室外熱交換器のプロペラファン側の端部には、風向板がプロペラファンの軸線側から対向している。風向板は、曲げ部に対向せずに第１の平面部及び第２の平面部の少なくともいずれかに対向している。
2016203636.tif 000002
【特許請求の範囲】
【請求項１】
軸線を中心に回転して気流を発生するプロペラファンを有する送風機、
前記プロペラファンに対する前記気流の上流側で前記軸線の周囲に配置され、第１の平面部と、第２の平面部と、前記第１及び第２の平面部を繋ぐ曲げ部とを有する室外熱交換器、及び
前記室外熱交換器の前記プロペラファン側の端部に前記軸線側から対向する風向板
を備え、
前記風向板は、前記曲げ部に対向せずに前記第１の平面部及び前記第２の平面部の少なくともいずれかに対向している冷凍サイクル装置用室外ユニット。
【請求項２】
前記軸線に垂直な平面において、前記風向板の長さは、前記第１及び第２の平面部のうち前記風向板が対向する平面部の長さよりも短くなっている請求項１に記載の冷凍サイクル装置用室外ユニット。
【請求項３】
前記風向板と、前記第１及び第２の平面部のうち前記風向板が対向する平面部との間の距離は、前記プロペラファンに近くなるほど大きくなっている請求項１又は請求項２に記載の冷凍サイクル装置用室外ユニット。
【請求項４】
前記風向板の形状は、前記風向板の表面を窪ませて前記風向板の裏面を突出させた形状になっており、
前記風向板は、前記第１及び第２の平面部のうち前記風向板が対向する平面部に向けて前記表面を配置されている請求項３に記載の冷凍サイクル装置用室外ユニット。
【請求項５】
前記軸線に垂直な平面において、前記風向板と、前記第１及び第２の平面部のうち前記風向板が対向する平面部との間の距離は、前記風向板の中間部の位置で最も小さく、前記中間部の位置から前記風向板の両端部の位置に向かって広がっている請求項１〜請求項４のいずれか一項に記載の冷凍サイクル装置用室外ユニット。
【請求項６】
前記軸線に垂直な平面における前記風向板の長さは、前記プロペラファンに近くなるほど長くなっている請求項１〜請求項５のいずれか一項に記載の冷凍サイクル装置用室外ユニット。
【請求項７】
前記軸線と前記室外熱交換器との間の距離は、前記プロペラファンに近くなるほど大きくなっている請求項１〜請求項６のいずれか一項に記載の冷凍サイクル装置用室外ユニット。
【請求項８】
請求項１〜請求項７のいずれか一項に記載の冷凍サイクル装置用室外ユニットを備えている冷凍サイクル装置。
【発明の詳細な説明】
【技術分野】
【０００１】
この発明は、熱交換器を含む冷凍サイクル装置用室外ユニット、及び冷凍サイクル装置に関するものである。
【背景技術】
【０００２】
空気調和機の上吹き型室外機では、プロペラファンが筐体の上部に配置されており、熱交換器が筐体内に配置されている。また、空気調和機の上吹き型室外機では、プロペラファンの回転によって発生した気流が熱交換器を通過することにより、熱交換器を流れる冷媒と外気との間で熱交換が行われる。通常、プロペラファンに近いほど風速が大きくなることから、熱交換器の上部での風速が熱交換器の下部での風速よりも大きくなり、熱交換器での風速分布に偏りが生じる。熱交換器での風速分布に偏りがあると、熱交換器での熱交換効率が低下してしまう。【０００３】
従来、熱交換器での風速分布の偏りを小さくするために、室外機の上部の内部空間に筒状のダクトを設けて、熱交換器の上部での通風抵抗を熱交換器の下部での通風抵抗よりも大きくした上吹き型室外機が提案されている（例えば、特許文献１参照）。
【先行技術文献】
【特許文献】
【０００４】
【特許文献１】特開２０１４−０９５５０５号公報
【発明の概要】
【発明が解決しようとする課題】
【０００５】
しかし、プロペラファンの回転軸の軸線と熱交換器との間の空間を周方向についてダクトで完全に仕切っているので、熱交換器の上部での通風抵抗が過大になり、熱交換器の上部での風速が熱交換器の下部での風速よりも逆に小さくなってしまうおそれがある。これにより、熱交換器での風速分布の偏りの縮小化を図ることができなくなるおそれがあり、熱交換器での熱交換効率の向上を図ることが困難になってしまうおそれがある。【０００６】
また、熱交換器の上部を通過した気流は、プロペラファンの内周部に向かう気流となるため、プロペラファンの外周部に気流が流入しにくくなり、プロペラファンの外周部と熱交換器の上部との間に渦が発生しやすく騒音が生じやすくなる。上記の特許文献１に記載されている従来の上吹き型室外機では、熱交換器の上部を通過した気流をダクトでプロペラファンの外周部に強制的に導いて気流の渦の発生を抑制することができるが、ダクトの内外での風速差が大きくなりやすいので、気流の吸込分布がプロペラファンの内周部と外周部とで不均一になりやすく、プロペラファンの効率が低下してしまうおそれがある。【０００７】
この発明は、上記のような課題を解決するためになされたものであり、熱交換器での熱交換効率の向上を図ることができるとともに、プロペラファンの効率の向上を図ることができる冷凍サイクル装置用室外ユニット、及び冷凍サイクル装置を得ることを目的とする。
【課題を解決するための手段】
【０００８】
この発明による冷凍サイクル装置用室外ユニットは、軸線を中心に回転して気流を発生するプロペラファンを有する送風機、プロペラファンに対する気流の上流側で軸線の周囲に配置され、第１の平面部と、第２の平面部と、第１及び第２の平面部を繋ぐ曲げ部とを有する室外熱交換器、及び室外熱交換器のプロペラファン側の端部に軸線側から対向する風向板を備え、風向板は、曲げ部に対向せずに第１の平面部及び第２の平面部の少なくともいずれかに対向している。
【発明の効果】
【０００９】
この発明による冷凍サイクル装置用室外ユニットによれば、室外熱交換器での風速分布の偏りを小さくすることができ、室外熱交換器での熱交換効率の向上を図ることができる。また、プロペラファンにおける風速分布の不均一化を抑制することができ、プロペラファンの効率の向上を図ることができる。
【図面の簡単な説明】
【００１０】
【図１】この発明の実施の形態１による空気調和機を示す構成図である。
【図２】図１の室外ユニットを示す斜視図である。
【図３】図２の筐体の一部を外したときの室外ユニットを示す斜視図である。
【図４】図３の室外ユニットを示す上面図である。
【図５】図４のＶ−Ｖ線に沿った模式的な断面図である。
【図６】この発明の実施の形態２による室外ユニットを示す上面図である。
【図７】この発明の実施の形態３による室外ユニットを示す模式的な縦断面図である。
【図８】この発明の実施の形態４による室外ユニットを示す模式的な縦断面図である。
【図９】この発明の実施の形態５による室外ユニットを示す上面図である。
【図１０】この発明の実施の形態６による室外ユニットを示す模式的な縦断面図である。
【図１１】この発明の実施の形態７による室外ユニットを示す模式的な縦断面図である。
【発明を実施するための形態】
【００１１】
以下、この発明の好適な実施の形態について図面を参照して説明する。
実施の形態１．
本実施の形態では、冷凍サイクル装置の具体例として空気調和機について説明する。図１は、この発明の実施の形態１による空気調和機を示す構成図である。空気調和機１は、冷凍サイクル装置用室内ユニット（以下、単に「室内ユニット」という）２と、冷凍サイクル装置用室外ユニット（以下、単に「室外ユニット」という）３とを有している。室内ユニット２は、室内熱交換器４及び第１の膨張弁５１を含む室内ユニット機器と、室内熱交換器４を通過する気流を発生する第１の送風機１３とを有している。室外ユニット３は、圧縮機６、室外熱交換器７、第２の膨張弁５２及び電磁弁である四方弁８を含む室外ユニット機器と、室外熱交換器７を通過する気流を発生する第２の送風機１０とを有している。
【００１２】
室内ユニット２及び室外ユニット３間を循環する冷媒は、圧縮機６により圧縮され、第１及び第２の膨張弁５１，５２により膨張する。室内熱交換器４には、第１の送風機１３の動作により室内の空気が気流として通過する。これにより、室内熱交換器４は、室内の空気と冷媒との間で熱交換を行う。室外熱交換器７には、第２の送風機１０の動作により室外の空気、即ち外気が気流として通過する。これにより、室外熱交換器７は、室外の空気と冷媒との間で熱交換を行う。
【００１３】
空気調和機１の運転は、冷房運転及び暖房運転のいずれかに切り替え可能になっている。四方弁８は、空気調和機１の冷房運転及び暖房運転の切り替えに応じて、冷媒流路を切り替える。具体的には、四方弁８は、圧縮機６からの冷媒を室外熱交換器７へ導くとともに室内熱交換器４からの冷媒を圧縮機６へ導く冷房運転時の冷媒流路と、圧縮機６からの冷媒を室内熱交換器４へ導くとともに室外熱交換器７からの冷媒を圧縮機６へ導く暖房運転時の冷媒流路との間で、冷媒流路を切り替える。
【００１４】
空気調和機１の冷房運転時には、冷媒が、圧縮機６で圧縮された後、室外熱交換器７で外気へ熱を放出して凝縮される。この後、室外熱交換器７で凝縮された冷媒は、第１の膨張弁５１及び第２の膨張弁５２で順次膨張された後、室内熱交換器４で室内の空気から熱を取り込んで蒸発し、圧縮機６へ戻る。従って、空気調和機１の冷房運転時には、室外熱交換器７が冷媒を凝縮させる凝縮器として機能し、室内熱交換器４が冷媒を蒸発させる蒸発器として機能する。
【００１５】
一方、空気調和機１の暖房運転時には、冷媒が、圧縮機６で圧縮された後、室内熱交換器４で室内の空気へ熱を放出して凝縮される。この後、室内熱交換器４で凝縮された冷媒は、第２の膨張弁５２及び第１の膨張弁５１で順次膨張された後、室外熱交換器７で外気から熱を取り込んで蒸発し、圧縮機６へ戻る。従って、空気調和機１の暖房運転時には、室外熱交換器７が冷媒を蒸発させる蒸発器として機能し、室内熱交換器４が冷媒を凝縮させる凝縮器として機能する。
【００１６】
図２は、図１の室外ユニット３を示す斜視図である。また、図３は、図２の筐体９の一部を外したときの室外ユニット３を示す斜視図である。室外ユニット３は、上記した室外ユニット機器と、室外ユニット機器を収容する筐体９と、筐体９の上部に設けられた送風機１０と、筐体９内に配置され、筐体９内で風を導く複数の風向板１１とを有している。
【００１７】
室外ユニット機器には、圧縮機６、室外熱交換器７及び四方弁８の他に、圧縮機６、四方弁８及び送風機１０のそれぞれの駆動を制御する駆動制御機器、及び冷媒を流す伝熱管が含まれている。図２及び図３には、室外ユニット機器のうち、室外熱交換器７のみが示されている。
【００１８】
筐体９は、底板９１と、底板９１の上方に位置する天板９２と、底板９１の外周部に互いに離して固定されて天板９２を支持する複数の支持柱９３と、各支持柱９３間の空間に配置されて筐体９の側面を形成する複数の側面パネル９４とを有している。この例では、底板９１及び天板９２の形状が略四角形になっており、４つの支持柱９３が底板９１及び天板９２の四隅に固定されている。従って、この例では、４つの側面パネル９４によって筐体９の側面が形成されている。
【００１９】
天板９２の中央には、図２に示すように、吹き出し口９２１が設けられている。また、天板９２の上面には、吹き出し口９２１を囲むベルマウス９２２が固定されている。ベルマウス９２２には、ベルマウス９２２の開口部を覆うグリル９２３が設けられている。
【００２０】
送風機１０は、図３に示すように、筐体９の天板９２に水平に取り付けられた複数の棒状の送風機サポート１２によって支持されている。また、送風機１０は、室外ユニット３の高さ方向に沿った軸線Ａを中心に回転するプロペラファン１０１と、プロペラファン１０１に連結され、プロペラファン１０１を回転させる駆動力を発生する駆動部であるファンモータ１０２とを有している。
【００２１】
プロペラファン１０１は、軸線Ａに沿った方向、即ちプロペラファン１０１の軸線方向について、室外熱交換器７に対して上方へずらして配置されている。即ち、軸線Ａと直交する方向に沿ってプロペラファン１０１及び室外熱交換器７を見たとき、プロペラファン１０１が室外熱交換器７の領域から軸線Ａに沿った方向（この例では、上方）へ外れて配置されている。これにより、プロペラファン１０１が存在する範囲と、室外熱交換器７が存在する範囲とが、軸線Ａに沿った方向について重ならないようになっている。また、プロペラファン１０１は、ベルマウス９２２の内側に配置されている。
【００２２】
ファンモータ１０２は、ファンモータ１０２のモータ軸の軸線を軸線Ａと一致させて送風機サポート１２に載せられている。プロペラファン１０１は、ファンモータ１０２の上部でファンモータ１０２のモータ軸に連結されている。また、プロペラファン１０１は、ファンモータ１０２のモータ軸に固定されたボス１０３と、ボス１０３の外周部に設けられた複数の翼１０４とを有している。各翼１０４は、ボス１０３の周方向へ互いに離して配置されている。
【００２３】
ここで、図４は、図３の室外ユニット３を示す上面図である。また、図５は、図４のＶ−Ｖ線に沿った模式的な断面図である。室外熱交換器７は、図４に示すように、プロペラファン１０１に対する気流の上流側で軸線Ａの周囲に配置されている。また、室外熱交換器７は、図５に示すように、軸線Ａに沿って配置されている。さらに、室外熱交換器７は、軸線Ａを囲むように互いに離して配置された複数の平面部７１と、互いに隣り合う各平面部７１間を繋ぐ複数の曲げ部７２とを有している。即ち、室外熱交換器７を軸線Ａに沿って見たとき、軸線Ａの周囲を互いに異なる複数の方向から囲むように各平面部７１が配置され、各平面部７１間に曲げ部７２がそれぞれ介在している。室外熱交換器７では、互いに隣り合う２つの平面部７１のうち、一方の平面部７１が第１の平面部とされ、他方の平面部７１が第２の平面部とされている。従って、第１の平面部７１が面する方向と、第２の平面部７１が面する方向とは、互いに異なる方向となっている。また、曲げ部７２は、第１の平面部７１と第２の平面部７１とを繋いでいる。軸線Ａに沿って見たときの曲げ部７２の形状は、弧状になっている。
【００２４】
この例では、軸線Ａを囲む４つの側面パネル９４のうち、３つの側面パネル９４のそれぞれに対向して３つの平面部７１が筐体９内に配置され、３つの平面部７１が２つの曲げ部７２で繋がっている。従って、この例では、軸線Ａに沿って見たときの室外熱交換器７の形状が、３つの平面部７１及び２つの曲げ部７２によってＵ字状になっている。
【００２５】
室外熱交換器７の各平面部７１及び各曲げ部７２のそれぞれは、室外熱交換器７の周方向へ並設された複数の板状のフィンと、フィンの並設方向へ各フィンを貫通する伝熱管とにより構成されている。室外熱交換器７の伝熱管には、空気調和機１内を循環する冷媒が流れるようになっている。室外熱交換器７における冷媒と外気との間での熱交換は、フィン及び伝熱管を介して行われる。
【００２６】
側面パネル９４では、図２に示すように、各平面部７１と対向する部分が、気流を通すパネル通風部９４１とされ、各平面部７１と対向しない部分が、気流の通過を阻止する板であるパネル遮蔽部９４２とされている。パネル通風部９４１は、格子で仕切られた開口部である。パネル遮蔽部９４２の一部には、図３に示すように、気流を通すスリットが設けられている。
【００２７】
室外熱交換器７は、軸線Ａに沿った方向について、プロペラファン１０１側の端部（即ち、上端部）と、プロペラファン１０１側と反対側の端部（即ち、下端部）と、プロペラファン１０１側及びその反対側の各端部の間に介在する中間部とに区分されている。各風向板１１は、図５に示すように、室外熱交換器７の上端部（即ち、室外熱交換器７のプロペラファン１０１側の端部）に軸線Ａ側から対向している。室外熱交換器７の上端部は、軸線Ａに沿った方向について、室外熱交換器７の全体寸法の１／２よりも小さい一定の寸法を持っている。各風向板１１は、室外熱交換器７の上端部にのみ対向し、室外熱交換器７の下端部及び中間部には対向していない。これにより、筐体９内のプロペラファン１０１に近い上部の範囲でのみ、室外熱交換器７と軸線Ａとの間の空間が仕切られている。また、各風向板１１は、曲げ部７２に対向せずに各平面部７１の少なくともいずれかに対向している。これにより、軸線Ａに沿って見たときの室外熱交換器７では、各平面部７１の少なくともいずれかと軸線Ａとの間の空間のみが風向板１１で仕切られ、各曲げ部７２と軸線Ａとの間の空間は風向板１１で仕切られずに開いている。
【００２８】
この例では、図４に示すように、３つの平面部７１にそれぞれ対向する３つの風向板１１が筐体９内に配置されている。また、この例では、各風向板１１が軸線Ａに沿って配置され、各風向板１１の形状が矩形状になっている。さらに、この例では、軸線Ａに沿って見たときの各風向板１１が、プロペラファン１０１の外周部に重なる位置に配置されている。また、この例では、軸線Ａに垂直な平面において、互いに対向する風向板１１及び平面部７１のそれぞれの長さが同じになっている。さらに、この例では、各風向板１１が送風機サポート１２に支持されている。各風向板１１は、室外熱交換器７又は側面パネル９４に支持されていてもよい。また、各風向板１１及び送風機サポート１２が一体で成形されていてもよい。
【００２９】
室外ユニット３では、プロペラファン１０１が軸線Ａを中心に回転すると、図１の矢印Ｖ１で示すように、パネル通風部９４１から室外熱交換器７を通って筐体９内に入り筐体９内から吹き出し口９２１を通って筐体９外へ出る気流が風として発生する。即ち、室外ユニット３は、いわゆる上吹き型室外ユニットになっている。室外熱交換器７では、側面パネル９４のパネル通風部９４１からの気流が室外熱交換器７を通過することにより、室外熱交換器７の伝熱管を通る冷媒と外気との間で熱交換が行われる。
【００３０】
室外熱交換器７の上端部、即ち室外熱交換器７のプロペラファン１０１側の端部では、風向板１１に対向している部分と、風向板１１に対向していない部分とが存在している。従って、筐体９内の各風向板１１が配置されている高さの範囲、即ち筐体９内の上部では、室外熱交換器７を通過した気流のうち、一部の気流が各風向板１１に当たり、残りの気流が各風向板１１に当たらずに各風向板１１間の空間を通過する。筐体９の上部で風向板１１に当たった気流は、向きをプロペラファン１０１の外周部に向かう方向に変えながら、風向板１１に沿って上方へ流れた後、プロペラファン１０１の外周部に流入し、吹き出し口９２１を通って筐体９外へ出る。これにより、プロペラファン１０１の外周部への気流の流入が強制的に行われ、プロペラファン１０１の外周部と室外熱交換器７の上端部との間での気流の渦の発生が抑制される。一方、筐体９の上部で各風向板１１間の空間を通過した気流は、プロペラファン１０１の内周部にそのまま流入し、吹き出し口９２１を通って筐体９外へ出る。これにより、プロペラファン１０１の内周部と外周部との間での吸込分布の偏りが抑制される。
【００３１】
また、プロペラファン１０１が回転しているときの筐体９内の気圧は、プロペラファン１０１に近いほど低く、プロペラファン１０１から遠くなるほど高い。これにより、室外熱交換器７での気流の速度の分布である風速分布がプロペラファン１０１に近いほど高くなる偏った分布になってしまうおそれがある。しかし、プロペラファン１０１に近い位置で各風向板１１が室外熱交換器７に対向しており、室外熱交換器７のプロペラファン１０１に近い部分において通風抵抗が大きくなって風速が低くなることから、室外熱交換器７のプロペラファン１０１に近い部分での風速が室外熱交換器７のプロペラファン１０１から遠い部分での風速に近づき、室外熱交換器７での風速分布の偏りが抑制される。
【００３２】
このような室外ユニット３では、室外熱交換器７のプロペラファン１０１側の端部にプロペラファン１０１の軸線Ａ側から対向する複数の風向板１１が、室外熱交換器７の曲げ部７２に対向せずに各平面部７１に対向しているので、室外熱交換器７のプロペラファン１０１側の端部を通過した気流を風向板１１によってプロペラファン１０１の外周部に強制的に流入させることができる。これにより、プロペラファン１０１の外周部と室外熱交換器７との間の空間に気流の渦を発生させにくくすることができ、騒音の低減化を図ることができる。また、室外熱交換器７のプロペラファン１０１側の端部を通過した気流のうち、一部をプロペラファン１０１の内周部に流入させることができるので、プロペラファン１０１の内周部での気流の吸込量が極端に少なくなることを防止することができ、プロペラファン１０１の内周部と外周部とでのプロペラファン１０１の吸込分布の偏りを小さくすることができる。これにより、プロペラファン１０１における風速分布の不均一化を抑制することができ、プロペラファン１０１の効率の向上を図ることができる。さらに、室外熱交換器７のプロペラファン１０１側の端部では、風向板１１が対向していることにより通風抵抗が大きくなるので、室外熱交換器７のプロペラファン１０１側の端部での風速を、室外熱交換器７のプロペラファン１０１から遠い部分での風速に近づけることができる。これにより、室外熱交換器７での風速分布の偏りを小さくすることができ、室外熱交換器７での熱交換効率の向上を図ることができる。
【００３３】
また、各風向板１１は、平板であるので、風向板１１の製造を容易にすることができる。
【００３４】
実施の形態２．
図６は、この発明の実施の形態２による室外ユニット３を示す上面図である。本実施の形態では、軸線Ａに沿った方向へ室外ユニット３を見たとき、互いに対向する風向板１１及び平面部７１のそれぞれの長さを比較すると、風向板１１の長さＬ２が平面部７１の長さＬ１よりも短くなっている。即ち、軸線Ａに垂直な平面において、互いに対向する風向板１１及び平面部７１のうち、風向板１１の長さは、平面部７１の長さよりも短くなっている。他の構成は実施の形態１と同様である。
【００３５】
このような室外ユニット３では、軸線Ａに垂直な平面において、風向板１１の長さＬ２が平面部７１の長さＬ１よりも短くなっているので、曲げ部７２に風向板１１をより確実に対向させないようにすることができ、室外熱交換器７のプロペラファン１０１に近い部分での通風抵抗が過大になることをさらに確実に防止することができる。
【００３６】
実施の形態３．
図７は、この発明の実施の形態３による室外ユニット３を示す模式的な縦断面図である。図７は、実施の形態１での図５に対応する図である。各風向板１１は、上方のプロペラファン１０１に向かって軸線Ａに近づくように、軸線Ａに垂直な平面に対して傾斜している。これにより、互いに対向する風向板１１と平面部７１との間の距離は、上方のプロペラファン１０１に近くなるほど大きくなっている。即ち、風向板１１の上端部と平面部７１との間の距離Ｌ３は、風向板１１の下端部と平面部７１との間の距離Ｌ４よりも大きくなっている。他の構成は実施の形態１と同様である。
【００３７】
このような室外ユニット３では、風向板１１と平面部７１との間の距離が、プロペラファン１０１に近くなるほど大きくなっているので、プロペラファン１０１に近くなるほど、即ちプロペラファン１０１に向かって流れる気流の下流になるほど、室外熱交換器７と風向板１１との間に形成された気流の流路を拡大することができ、室外熱交換器７と風向板１１との間での風速の増加を抑制することができる。これにより、室外熱交換器７のプロペラファン１０１側の端部での通風抵抗が過大になることをさらに確実に防止することができる。
【００３８】
実施の形態４．
図８は、この発明の実施の形態４による室外ユニット３を示す模式的な縦断面図である。図８は、実施の形態１での図５に対応する図である。各風向板１１は、表面を窪ませて裏面を突出させた湾曲状の板である。また、各風向板１１は、窪ませた表面を平面部７１に向け、突出させた裏面を軸線Ａに向けて配置されている。即ち、軸線Ａを含む平面における各風向板１１の断面形状は、平面部７１側で窪む表面と、軸線Ａ側で突出する裏面とが形成された湾曲状になっている。これにより、軸線Ａに垂直な平面に対する各風向板１１の傾斜角度は、プロペラファン１０１から遠い位置では緩やかであるが、プロペラファン１０１に近い位置になるほど連続的に急になる。また、互いに対向する風向板１１と平面部７１との間の距離は上方のプロペラファン１０１に近くなるほど大きくなっているが、プロペラファン１０１に近くなるにつれて風向板１１と平面部７１との間の距離の増加量は小さくなっている。他の構成は実施の形態３と同様である。
【００３９】
このような室外ユニット３では、風向板１１の表面が湾曲状に窪んでおり、風向板１１の窪んだ表面が平面部７１に向いているので、室外熱交換器７を通過して筐体９内に入った気流の方向を風向板１１で滑らかに変えることができ、室外熱交換器７のプロペラファン１０１側の端部で通風抵抗が過大になることをさらに確実に防止することができる。
【００４０】
なお、上記の例では、風向板１１の断面形状が湾曲状になっているが、これに限定されず、風向板１１の断面形状を、複数の辺が連続する多角形状にし、多角形状部分の表面に生じた窪みを平面部７１に向け、多角形状部分の突出した裏面を軸線Ａ側に向けて風向板１１を配置してもよい。
【００４１】
実施の形態５．
図９は、この発明の実施の形態５による室外ユニット３を示す上面図である。図９は、実施の形態１での図４に対応する図である。この例では、３つの平面部７１のうち、互いに対向する２つの平面部７１にのみ風向板１１が対向している。従って、この例では、２つの風向板１１が筐体９内に配置されている。
【００４２】
互いに対向する風向板１１及び平面部７１間の距離は、軸線Ａに垂直な平面において、風向板１１の中間部の位置で最も小さく、風向板１１の中間部の位置から風向板１１の両端部の位置に向かって広がっている。即ち、軸線Ａに垂直な平面では、風向板１１の中間部と平面部７１との間の距離Ｌ５が最も小さく、風向板１１の両端部のそれぞれと平面部７１との間の距離Ｌ６が最も大きくなっている。この例では、軸線Ａに垂直な平面における風向板１１の断面形状がＶ字状になっている。また、この例では、軸線Ａに垂直な平面において、風向板１１の両端部のそれぞれと軸線Ａとの間の距離が、風向板１１の中間部と軸線Ａとの間の距離と同じになっている。他の構成は実施の形態１と同様である。
【００４３】
このような室外ユニット３では、軸線Ａに垂直な平面において、風向板１１と平面部７１との間の距離が、風向板１１の中間部の位置で最も小さく、風向板１１の中間部の位置から風向板１１の両端部に向かって広がっているので、風向板１１の中間部の位置よりも風向板１１の両端部の位置で風向板１１と平面部７１との間の距離を大きくすることができ、室外熱交換器７のプロペラファン１０１に近い部分において通風抵抗が過大になることの防止を図ることができる。また、風向板１１と軸線Ａとの間の距離をプロペラファン１０１の回転方向について均一に近づけることができるので、軸線Ａに沿った方向へ室外ユニット３を見たときのプロペラファン１０１の外周部と風向板１１との間の距離を均一に近づけることができる。これにより、プロペラファン１０１の回転に伴う気流の流れの変動を抑制することができ、プロペラファン１０１のエネルギ損失及び騒音の低減化を図ることもできる。即ち、プロペラファン１０１の効率の向上をさらに図ることができる。
【００４４】
なお、上記の例では、３つの平面部７１のうち、２つの平面部７１にのみ風向板１１が対向しているが、３つの平面部７１のすべてに風向板１１を個別に対向させてもよいし、１つの平面部７１にのみ風向板１１を対向させてもよい。
【００４５】
また、上記の例では、軸線Ａに垂直な平面における風向板１１の断面形状がＶ字状になっているが、風向板１１の断面形状を、３つ以上の辺が連続する多角形状としてもよいし、湾曲形状としてもよい。このようにすれば、軸線Ａに沿った方向へ室外ユニット３を見たときのプロペラファン１０１の外周部と風向板１１との間の距離をさらに均一に近づけることができ、プロペラファン１０１の効率の向上をさらに図ることができる。
【００４６】
実施の形態６．
図１０は、この発明の実施の形態６による室外ユニット３を示す模式的な縦断面図である。図１０は、実施の形態１での図５に対応する図である。軸線Ａに垂直な平面における各風向板１１の長さは、プロペラファン１０１に近くなるほど長くなっている。即ち、軸線Ａに垂直な平面における各風向板１１の長さは、風向板１１の上端部の位置での長さＬ７のほうが風向板１１の下端部の位置での長さＬ８よりも長くなっている。この例では、軸線Ａから見たときの風向板１１の形状が台形状になっている。これにより、平面部７１に対向する風向板１１の面積がプロペラファン１０１から離れるほど小さくなっている。他の構成は実施の形態１と同様である。
【００４７】
このような室外ユニット３では、軸線Ａに垂直な平面における風向板１１の長さが、プロペラファン１０１に近くなるほど長くなっているので、風向板１１によって生じる室外熱交換器７での通風抵抗を、プロペラファン１０１から離れた位置になるほど小さくすることができ、風向板１１による室外熱交換器７での通風抵抗の増大を抑制することができる。これにより、室外熱交換器７のプロペラファン１０１に近い部分において通風抵抗が過大になることの防止を図ることができる。
【００４８】
実施の形態７．
図１１は、この発明の実施の形態７による室外ユニット３を示す模式的な縦断面図である。図１１は、実施の形態１での図５に対応する図である。室外熱交換器７は、軸線Ａに対して傾斜している。また、軸線Ａに垂直な平面における室外熱交換器７と軸線Ａとの間の距離は、プロペラファン１０１に近くなるほど連続的に大きくなっている。他の構成は実施の形態４と同様である。
【００４９】
このような室外ユニット３では、軸線Ａに垂直な平面における室外熱交換器７と軸線Ａとの間の距離が、プロペラファン１０１に近くなるほど大きくなっているので、室外熱交換器７を通過して筐体９内に入る気流の方向をプロペラファン１０１に向かう方向に近づけることができる。これにより、筐体９内で風向板１１によって強制的に変えられる気流の角度を小さくすることができ、室外熱交換器７のプロペラファン１０１側の端部において通風抵抗が過大になることの防止を図ることができる。
【００５０】
なお、上記の例では、室外熱交換器７が軸線Ａに対して傾斜する室外ユニット３に実施の形態４での湾曲した風向板１１が適用されているが、室外熱交換器７が軸線Ａに対して傾斜する室外ユニット３に実施の形態１〜３、５又は６での風向板１１を適用してもよい。
【００５１】
また、上記実施の形態１〜４、６及び７では、風向板１１が室外熱交換器７の各平面部７１のすべてに対向しているが、各平面部７１の少なくともいずれかに風向板１１が対向していてもよい。
【００５２】
また、各上記実施の形態では、軸線Ａに沿って見たときの室外熱交換器７の形状が３つの平面部７１及び２つの曲げ部７２を繋げたＵ字状になっているが、これに限定されず、軸線Ａに沿って見たときの室外熱交換器７の形状を、例えば、２つの平面部７１及び１つの曲げ部７２を繋げたＬ字状、又は４つの平面部７１及び３つの曲げ部７２を繋げたＣ字状としてもよい。さらに、断面Ｕ字状の室外熱交換器７と平面状の室外熱交換器７とを組み合わせたり、断面Ｌ字状の２つの室外熱交換器７を組み合わせたりして、軸線Ａに沿って見たときの室外熱交換器７全体の形状を矩形状にしてもよい。また、断面Ｕ字状の２つの室外熱交換器７を向い合せに組み合わせて、軸線Ａに沿って見たときの室外熱交換器７全体の形状を矩形状にしてもよい。さらに、断面Ｌ字状の室外熱交換器７と平面状の室外熱交換器７とを組み合わせて、軸線Ａに沿って見たときの室外熱交換器７全体の形状をＵ字状にしてもよい。
【００５３】
また、各上記実施の形態では、冷凍サイクル装置としての空気調和機に用いられる室外ユニットにこの発明が適用されているが、これに限定されず、冷凍サイクル装置としての例えば給湯器等に用いられる室外ユニットにこの発明を適用してもよい。
【００５４】
また、この発明は各上記実施の形態に限定されるものではなく、この発明の範囲内で種々変更して実施することができる。さらに、各上記実施の形態を組み合わせてこの発明を実施することもできる。
【図１】
2016203636.tif 000003
【図２】
2016203636.tif 000004
【図３】
2016203636.tif 000005
【図４】
2016203636.tif 000006
【図５】
2016203636.tif 000007
【図６】
2016203636.tif 000008
【図７】
2016203636.tif 000009
【図８】
2016203636.tif 000010
【図９】
2016203636.tif 000011
【図１０】
2016203636.tif 000012
【図１１】
2016203636.tif 000013
【国際調査報告】
2016203636.tif 000014
2016203636.tif 000015
2016203636.tif 000016
2016203636.tif 000017